(57)【特許請求の範囲】
【請求項１】
開閉カバーが開閉自在に取着される装置本体と、その装置本体内に収納され記録用紙に印刷を行う印刷装置と、その印刷装置へ記録用紙を給紙する給紙装置と、その給紙装置の給紙方向上流側に記録用紙を設置するために前記装置本体に設けられる給紙口とを備えるとともに、原稿用紙の画像を読み取る読取装置を備えた画像形成装置において、
前記給紙装置は、前記給紙口に設置される記録用紙の給紙を行う給紙ローラと、その給紙ローラにより給紙される記録用紙を支持する支持部材と、その支持部材を前記給紙ローラへ向けて付勢する付勢部材とを備えて構成され、
前記読取装置が搭載され、前記装置本体の開閉カバーと独立して、その装置本体における前記給紙口に開閉自在に取着される給紙口カバーと、
その給紙口カバーに設けられ、給紙口カバーを開放する場合に前記付勢部材による前記支持部材の給紙ローラへ向けての付勢を解除する付勢解除部材とを備えていることを特徴とする読取装置を備えた画像形成装置。
【請求項２】
前記装置本体または給紙口カバーの一方に設けられ、その装置本体または給紙口カバーの上方から下方へ向けて長穴状に形成されるスライド溝と、
そのスライド溝に対して相対的にスライド可能に係合されるとともに、前記装置本体または給紙口カバーの他方に設けられ、その給紙口カバーを揺動可能に支持する揺動軸とを備えていることを特徴とする請求項１記載の読取装置を備えた画像形成装置。
【請求項３】
前記付勢解除部材は、前記給紙口カバーから前記支持部材側へ向けて延出され、前記給紙口カバーの開放動作に連動して前記付勢部材による反付勢方向へ前記支持部材を押圧する押圧部材を備えていることを特徴とする請求項１又は２に記載の読取装置を備えた画像形成装置。
【請求項４】
前記支持部材には、前記読取装置が搭載される給紙口カバーが開放される場合に前記押圧部材が係止される係止部材が設けられていることを特徴とする請求項３記載の読取装置を備えた画像形成装置。
【請求項５】
前記読取装置の上方を開放自在に覆設する読取装置カバーを備え、その読取装置カバーを開閉する際の揺動中心は前記給紙口カバーを開閉する際の揺動中心の反対側に設けられていることを特徴とする請求項１から４のいずれかに記載の読取装置を備えた画像形成装置。
【請求項６】
前記読取装置は原稿用紙の画像を読み取るための密着型イメージセンサを備えていることを特徴とする請求項１から５のいずれかに記載の読取装置を備えた画像形成装置。
【発明の詳細な説明】
【０００１】
【発明の属する技術分野】
本発明は、原稿用紙の画像を読み取ることができるとともに、記録用紙へ印刷を行うことができる読取装置を備えた画像形成装置に関するものである。
【０００２】
【従来の技術】
近年、読取装置を備えた画像形成装置として、例えば、コピーマシン、ファクシミリ、或いは、プリンタ機能やコピー機能などの各種機能を備えた多機能周辺装置が開発されている。多機能周辺装置の場合、例えば、密着型イメージセンサ（以下、ＣＩＳ（Contact Image Sensor）と称す）などにより原稿用紙の画像を読み取る読取装置と、記録用紙（印刷用紙）に画像を形成する印刷装置としてのレーザプリンタとを備えている。そして、読取装置により読み取られた原稿用紙の画像データや、ホストコンピュータ等の上位装置から供給された画像データに基づいて、レーザプリンタにより印刷を行う。
【０００３】
この多機能周辺装置のレーザプリンタは、電子写真プロセスによって、感光ドラム上にトナー像を形成して記録用紙に転写、定着させるための機構を備えている。
【０００４】
ところで、多機能周辺装置の本体ケースの後部、即ち、本体ケースにおける記録用紙の給紙方向上流側には、ＡＣＦ（Auto Cutsheet Feeder）などの記録用紙をレーザプリンタへ給紙するための給紙装置が配設されており、その給紙装置の下流側にレーザプリンタが配設され、そのレーザプリンタの更に下流側に読取装置が配設されている。このようにレーザプリンタと読取装置とが重ねられることなく並列的に配設されるのは、レーザプリンタと読取装置とが共に、メンテナンスのためにその上方を開放できるように構成される必要があるからである。即ち、レーザプリンタの上方には、本体ケースに開閉自在に取着される開閉カバーが配設されており、かかる開閉カバーを開放することにより、多機能周辺装置の本体ケース内の保守、例えば、トナーカートリッジやプロセスカートリッジの交換、或いは、紙詰まりを生じた記録用紙の除去が行われる。一方、読取装置は原稿用紙の搬送経路を境にして上部機構が読取装置カバーとして開閉可能に構成されており、紙詰まりを生じた原稿用紙の除去が行われる。このように読取装置を備えた多機能周辺装置では、印刷装置としてのレーザプリンタの上方を開閉可能にするスペースと、読取装置の上方を開閉可能にするスペースとを本体ケースにそれぞれ別々に設ける必要があり、その結果、本体ケースの奥行き長さ、即ち、本体ケースにおける記録用紙の給紙方向長さが大きくなり、多機能周辺装置が全体として大型化してしまう。
【０００５】
そこで、特開平９−２３３２３８号公報では、レーザプリンタの上方を開放する開閉カバーに読取装置を搭載して、読取装置と開閉カバーとを一体的に構成した多機能周辺装置が提案されている。この多機能周辺装置によれば、読取装置と開閉カバーとが本体ケースに別々に並列的に配設される場合のように、読取装置の配設スペースを本体ケースに設ける必要がないので、その分、多機能周辺装置が全体として小型化されるのである。
【０００６】
【発明が解決しようとする課題】
しかしながら、上述した読取装置が開閉カバーに搭載される多機能周辺装置によれば、開閉カバーは、読取装置の重量分、その重量が増加するので、開閉カバーが開閉し難くなり、その開閉作業が困難となってしまうという問題点があった。また、開閉カバーの開放後、メンテナンス作業中に開閉カバーが自重で閉鎖することを防止するために、例えば、ダンパー機構などにより開閉カバーを開放状態で保持する必要がある。しかし、ダンパー機構を装着すると、その分、多機能周辺装置の部品点数が増加するため、多機能周辺装置全体としての製造コストが増加してしまうという問題点があった。
【０００７】
本発明は上述した問題点を解決するためになされたものであり、印刷装置の上方を開放するための開閉カバーに読取装置を搭載することなく装置本体を小型化することができるとともに、開閉カバーを容易に開放することができ、装置全体としての製造コストを低減することができる読取装置を備えた画像形成装置を提供することを目的としている。
【０００８】
【課題を解決するための手段】
この目的を達成するために、請求項１記載の読取装置を備えた画像形成装置は、開閉カバーが開閉自在に取着される装置本体と、その装置本体内に収納され記録用紙に印刷を行う印刷装置と、その印刷装置へ記録用紙を給紙する給紙装置と、その給紙装置の給紙方向上流側に記録用紙を設置するために前記装置本体に設けられる給紙口とを備えるとともに、原稿用紙の画像を読み取る読取装置を備えており、前記給紙装置は、前記給紙口に設置される記録用紙の給紙を行う給紙ローラと、その給紙ローラにより給紙される記録用紙を支持する支持部材と、その支持部材を前記給紙ローラへ向けて付勢する付勢部材とを備えて構成され、前記読取装置が搭載され、前記装置本体の開閉カバーと独立して、その装置本体における前記給紙口に開閉自在に取着される給紙口カバーと、その給紙口カバーに設けられ、給紙口カバーを開放する場合に前記付勢部材による前記支持部材の給紙ローラへ向けての付勢を解除する付勢解除部材とを備えている。
【０００９】
この請求項１記載の読取装置を備えた画像形成装置によれば、記録用紙は、給紙口カバーが開放された給紙口内に設置される。給紙口内に設置された記録用紙は、給紙装置により印刷装置へ給紙され、かかる印刷装置により印刷される一方、原稿用紙の画像は読取装置により読み取られる。原稿用紙の画像を読み取る読取装置は給紙口カバーに搭載されるので、開閉カバーに読取装置が搭載される従来の読取装置を備えた画像形成装置に比べて、読取装置の重量分、開閉カバーの重量が低減される。
【００１０】
また、上記読取装置は、装置本体に設けられた給紙口に取着される給紙口カバーに搭載されるので、装置本体に読取装置を搭載するためのスペースを別途設ける必要がない。よって、従来の読取装置を備えた画像形成装置、例えば、装置本体における記録用紙の給紙方向上流側から下流側へと給紙装置、印刷装置、読取装置の順に配設される従来の画像形成装置に比べて、読取装置を搭載するためのスペース分、装置本体を小型化することができる。
また、給紙口に設置される記録用紙は、付勢部材により給紙ローラへ向けて付勢される支持部材により給紙口内に支持されるとともに、かかる支持部材と給紙ローラとの対向部分に挟み込まれており、この給紙ローラが作動すると、給紙ローラにより記録用紙が印刷装置へ給紙される。一方、給紙口内に記録用紙を設置する場合には、読取装置が搭載された給紙口カバーを開放することにより、付勢解除部材によって支持部材の付勢部材による付勢が解除され、支持部材と給紙ローラとの対向部分の間隙幅が拡大される。
【００１１】
【００１２】
請求項２記載の読取装置を備えた画像形成装置は、請求項１記載の読取装置を備えた画像形成装置において、前記装置本体または給紙口カバーの一方に設けられ、その装置本体または給紙口カバーの上方から下方へ向けて長穴状に形成されるスライド溝と、そのスライド溝に対して相対的にスライド可能に係合されるとともに、前記装置本体または給紙口カバーの他方に設けられ、その給紙口カバーを揺動可能に支持する揺動軸とを備えている。
【００１３】
この請求項２記載の読取装置を備えた画像形成装置によれば、請求項１記載の読取装置を備えた画像形成装置と同様に作用する上、給紙口カバーが開放される場合には、スライド溝にスライド可能に係合された揺動軸がスライド溝内で回転することにより、給紙口カバーが開放される。スライド溝は装置本体または給紙口カバーの上方から下方へ向けて長穴状に形成されており、給紙口カバーが揺動軸を介して開放されると、揺動軸がスライド溝内を相対的にスライドされる。この揺動軸のスライド溝に対する相対的なスライドにより、給紙口カバーが装置本体に対して相対的に上方へスライドしつつ開放される。
【００１４】
【００１５】
【００１６】
請求項３記載の読取装置を備えた画像形成装置は、請求項１又は２に記載の読取装置を備えた画像形成装置において、前記付勢解除部材は、前記給紙口カバーから前記支持部材側へ向けて延出され、前記給紙口カバーの開放動作に連動して前記付勢部材による反付勢方向へ前記支持部材を押圧する押圧部材を備えている。
【００１７】
請求項４記載の読取装置を備えた画像形成装置は、請求項３記載の読取装置を備えた画像形成装置において、前記支持部材には、前記読取装置が搭載される給紙口カバーが開放される場合に前記押圧部材が係止される係止部材が設けられている。
【００１８】
請求項５記載の読取装置を備えた画像形成装置は、請求項１から４のいずれかに記載の読取装置を備えた画像形成装置において、前記読取装置の上方を開放自在に覆設する読取装置カバーを備え、その読取装置カバーを開閉する際の揺動中心は前記給紙口カバーを開閉する際の揺動中心の反対側に設けられている。
【００１９】
この請求項５記載の読取装置を備えた画像形成装置によれば、請求項１から４のいずれかに記載の読取装置を備えた画像形成装置と同様に作用する上、例えば、給紙口カバーに搭載される読取装置内で原稿用紙の紙詰まりが発生した場合には、読取装置の上方を開放自在に覆設する読取装置カバーが開放されて、詰まった原稿用紙が取り除かれる。しかも、読取装置カバーを開閉する際の揺動中心は給紙口カバーを開閉する際の揺動中心の反対側に設けられている。よって、例えば、読取装置カバーの揺動中心が給紙口カバーの揺動中心側に設けられる場合のように、読取装置カバーを開放する際に給紙口カバーが一緒に開放されることがなく、かかる給紙口カバーと読取カバーとが一緒に開放されることを防止するためのストッパ機構などを給紙口カバーや読取装置カバーに設ける必要がない。
【００２０】
請求項６記載の読取装置を備えた画像形成装置は、請求項１から５のいずれかに記載の読取装置を備えた画像形成装置において、前記読取装置は原稿用紙の画像を読み取るための密着型イメージセンサを備えている。
【００２１】
【発明の実施の形態】
以下、本発明の好ましい実施例について、添付図面を参照して説明する。図１は、本発明の読取装置を備えた画像形成装置の一実施例である多機能周辺装置、読取装置付きレーザプリンタ１の内部構造を概略的に示した側断面図であり、図中の矢印Ｘは原稿用紙Ｐの給紙方向を示しており、矢印Ｙは印刷用紙（記録用紙）ＰＰの給紙方向を示している。
【００２２】
この読取装置付きレーザプリンタ１は、主に、複数枚の印刷用紙ＰＰを一枚毎に給紙する給紙装置２と、その給紙装置２により給紙される印刷用紙ＰＰに、電子写真プロセスによって感光ドラム１５上にトナー像を形成して転写する記録装置３と、その記録装置３の感光ドラム１５表面に静電潜像を形成するために露光を行うレーザ光走査装置４と、記録装置３により転写されたトナー像を印刷用紙ＰＰに定着させる定着装置５とを備える一方、印刷用紙ＰＰへ複写（コピー）される画像やホストコンピュータ等の上位装置へ送信される画像を原稿用紙Ｐから読み取る画像読取装置６を備えている。
【００２３】
この読取装置付きレーザプリンタ１は、その外周を被包するために合成樹脂で箱状体に形成された本体ケース１ａと、その本体ケース１ａ内部に更に内装されるメインフレーム１ｂとを備えており、これらの本体ケース１ａおよびメインフレーム１ｂは射出成形等により一体成形されている。本体ケース１ａのメインフレーム１ｂ上部には、メインフレーム１ｂの上方を覆う合成樹脂製のトップカバー１ｃが覆設されている。このトップカバー１ｃは、記録装置３を交換する際や、印刷用紙ＰＰが紙詰まりを起こした際に開放される本体ケース１ａの蓋体であり、その前端側は、回転軸１ｄを介して、本体ケース１ａの前部（図１右側）に時計方向へ向けて回転可能に取着されている。即ち、トップカバー１ｃは、回転軸１ｄを介して時計方向へ回転されることにより開放される一方、反時計方向へ回転されることにより閉鎖される。このトップカバー１ｃの後方（図１左側）であって、本体ケース１ａの後部上方には、複数枚収容した印刷用紙ＰＰを一枚毎に給紙する給紙装置２が配設されている。
【００２４】
この給紙装置２は、未使用の複数枚の印刷用紙ＰＰを積層収納可能な浅い箱形状の印刷用紙ホルダ７を備えており、印刷用紙ホルダ７は本体ケース１ａの後部から更に後方（図１左側）上側へ向けて延出されている。印刷用紙ホルダ７の上方は開放して形成されており、その開放部分の更に上方には画像読取装置６が搭載された給紙口カバー８が開閉自在に覆設されている。尚、給紙口カバー８に搭載される画像読取装置６の詳細については後述する。
【００２５】
給紙口カバー８により覆われた印刷用紙ホルダ７の内部には、本体ケース１ａ後部から後方上側へ向けて傾斜した略平板状の圧板９が内設されている。この圧板９は、印刷用紙ＰＰを下方から支持するためのものであり、その用紙幅方向（図１の紙面に対する略垂直方向）における両側部分には、印刷用紙ＰＰの用紙幅方向における両側を挟み込むようにして一対の略平板状の側板９ａがそれぞれ給紙口カバー８下面へ向けて立設されている。この側板９ａにおける上端側は回転軸９ｂを介して印刷用紙ホルダ７に回転（揺動）可能に取着されており、圧板９は、かかる回転軸９ｂ及び側板９ａを介して、印刷用紙ホルダ７内に揺動可能に取り付けられている。
【００２６】
圧板９の下端側、即ち、圧板９における回転軸９ｂ取着側の反対側（図１右側）にはコイルスプリングで構成されたバネ部材１０が配設されている。このバネ部材１０は、圧板９を上方へ向けて付勢するためのものであり、圧板９の下面と印刷用紙ホルダ７の底板７ａとの間部分に配設されている。よって、バネ部材１０により圧板９が上方へ付勢され、圧板９により支持される印刷用紙ＰＰは給紙ローラ１１と密着する方向へ付勢されるのである。給紙ローラ１１は、圧板９により支持される印刷用紙ＰＰを給紙するためのローラ部材であり、本体ケース１ａに反時計方向へ回転可能に支持されている。
【００２７】
また、圧板９の側板９ａの下端側には作動板９ｃが一体成形されており、この作動板９ｃに隣接する給紙口カバー８の下面には印刷用紙ホルダ７の底板７ａへ向けて延出される押圧板８ａが一体成形されている。給紙ローラ１１の下方には、上述した給紙ローラ１１と協働して複数枚の印刷用紙ＰＰを一枚毎に分離する分離パッド１２が配設されている。印刷用紙ホルダ７内の印刷用紙ＰＰは、給紙ローラ１１および分離パッド１２を含む自動給紙装置により、最上位に積層された印刷用紙ＰＰから順に送り出される。自動給紙装置によって送り出された印刷用紙ＰＰは、上下一対のレジストローラ１３，１４によって記録装置３に送られる。尚、給紙ローラ１１および分離パッド１２によって、印刷用紙ＰＰを記録装置３へ給紙する給紙口２ａが構成されている。
【００２８】
記録装置３は、画像データに基づく印刷画像を印刷用紙ＰＰに顕像化する装置である。この記録装置３は、メインフレーム１ｂ内に着脱可能に形成された合成樹脂製のプロセスカートリッジ３ａを備えており、そのプロセスカートリッジ３ａ内には、感光ドラム１５、転写ローラ１６、現像ローラ１７、供給ローラ１８、クリーニングローラ１９、スコロトロン型の帯電器２０、トナーカートリッジ２１などが配設されている。このように、記録装置３をプロセスカートリッジ３ａ内に収納してカートリッジ化することにより、記録装置３の構成部品を一体的に交換することができ、メンテナンス作業を簡素化することができる。また、トナーカートリッジ２１はプロセスカートリッジ３ａに着脱可能に形成されているので、トナーカートリッジ２１内のトナーがなくなった場合にはプロセスカートリッジ３ａを取り出してトナーカートリッジ２１のみを交換することができる。よって、記録装置３の寿命が尽きる前にトナーがなくなっても、トナーカートリッジ２１へトナーを補給すれば良く、記録装置３全体を交換する必要がないので、読取装置付きレーザプリンタ１のランニングコストを低減することができる。
【００２９】
プロセスカートリッジ３ａ内に配設される感光ドラム１５は、プロセスカートリッジ３ａに時計方向へ回転可能に支持されており、この感光ドラム１５の下方には帯電器２０が配置されている。この感光ドラム１５の一側であって、感光ドラム１５の回転方向における帯電器２０より下流側（図１左側）には現像ローラ１７及び供給ローラ１８が設けられている。また、供給ローラ１８の一側であって、感光ドラム１５の反対側（図１左側）には、現像剤としてのトナーを収容したトナーカートリッジ２１が着脱可能に搭載されている。また、感光ドラム１５の上方には転写ローラ１６が感光ドラム１５と接触して配置されており、感光ドラム１５の一側であって、その回転方向における転写ローラ１６の下流側にはクリーニングローラ１９が配置されている。尚、クリーニングローラ１９の給紙方向下流側には除電ランプ１９ａが配設されている。
【００３０】
現像ローラ１７は、トナーカートリッジ２１に収容されたトナーを感光ドラム１５の表面へ供給し、そのトナーを感光ドラム１５の表面に形成された静電潜像に付着させることにより、その静電潜像を顕像化するためのものである。トナーカートリッジ２１に収容されたトナーは、トナーカートリッジ２１内に配設された撹拌体２１ａにより撹拌されて、トナーカートリッジ２１から放出され、供給ローラ１８を介して現像ローラ１７の外周面に担持される。現像ローラ１７の外周面に担持されたトナー層の厚さはブレード１７ａにより規制される。感光ドラム１５の表面で顕像化されたトナー像は、感光ドラム１５の電位と逆電位の転写バイアスが印加された転写ローラ１６によって、転写ローラ１６と感光ドラム１５との間に搬送された印刷用紙ＰＰに転写される。尚、感光ドラム１５上に残留したトナーは、クリーニングローラ１９により保持され、所定のタイミングでクリーニングローラ１９にトナーと逆極性のバイアスを印加することで感光ドラム１５へ戻され、現像ローラ１７を介して回収される。
【００３１】
この記録装置３の下方には、レーザ光走査装置４が設けられている。レーザ光走査装置４は、帯電器２０により一様に帯電された感光ドラム１５の表面に印刷画像の画像データに応じた露光を行い、その感光ドラム１５の表面に静電潜像を形成するためのものである。レーザ光走査装置４の上部には上支持板４ａが配設されており、この上支持板４ａはメインフレーム１ｂの底板１ｂ１の上側に一体成形されたステー部１ｂ２にビス止めにより固定されている。上支持板４ａは、上述した現像ローラ１７の下方部分にスキャナ孔４ｂが穿設されており、このスキャナ孔４ｂは感光ドラム１５の回転軸方向、即ち、図１の紙面に対する略垂直方向へ沿って幅広に形成されている。また、このスキャナ孔４ｂの全域は透明な硝子板４ｃで覆われている。
【００３２】
上支持板４ａの上面には、上方へ向けて突出したトナーセンサ４ｄが設けられている。このトナーセンサ４ｄは、一対の発光部と受光部とから構成されており、トナーカートリッジ２１内のトナーの有無を検出するためのものである。このトナーセンサ４ｄは、記録装置３をメインフレーム１ｂ内に装着することにより、その発光部と受光部とがトナーカートリッジ２１の下面に設けられた２つの凹部２１ｂ内へそれぞれ挿入される。この凹部２１ｂへ押入されたトナーセンサ４ｄは、その発光部から発射された光を受光部が受光しない場合に、トナーカートリッジ２１内にトナーが残留していると判断する一方、発光部から発射された光を受光部が受光する場合に、トナーカートリッジ２１内にトナーが残留していないと判断するのである。
【００３３】
上支持板４ａの下方には、レーザ光を発射するためのレーザダイオード（図示せず）と偏光装置２２とが配設されており、この偏光装置２２はポリゴンミラー２２ａと、そのポリゴンミラー２２ａを駆動するスキャナモータ２２ｂと、そのスキャナモータ２２ｂを駆動するための駆動回路２２ｃとから構成されている。また、偏光装置２２のレーザ光の光路Ｌ下流側（図１右側）には、レンズ２３が配設さており、このレンズ２３における光路Ｌ上流側には反射ミラー２４が、光路Ｌ下流側には反射ミラー２５がそれぞれ配設されている。レンズ２３の光路Ｌ下流側に配設される反射ミラー２５の更に下流側には、上述したスキャナ孔４ｂを覆う硝子板４ｃが配設されている。尚、図１では、レーザ光の光路Ｌを２点鎖線で図示している。
【００３４】
よって、レーザダイオードから発射されたレーザ光は、ポリゴンミラー２２ａ、反射ミラー２４により反射され、レンズ２３に入射され、反射ミラー２５により反射された後、硝子板４ｃを通過して、感光ドラム１５の表面へ照射される。感光ドラム１５は帯電器２０によって一様に帯電されているので、この感光ドラム１５の表面にレーザ光が照射されることにより、その表面に静電潜像が形成される。
【００３５】
トナー像が転写された印刷用紙ＰＰは、記録装置３の下流側に設けられた定着装置５に送られる。定着装置５に送られた印刷用紙ＰＰは、定着装置５の加熱ローラ２６と加圧ローラ２７との間に通される。印刷用紙ＰＰ上に転写されたトナー像は、ここで加熱溶融されて印刷用紙ＰＰに定着される。加熱ローラ２６は、その外周表面がフッ素コートされたアルミ管で構成されており、そのアルミ管内にはハロゲンランプで構成された定着用ヒータ２６ａが内設されている。また、加圧ローラ２７は、ゴム製のローラ部材であり、その表面がフッ素樹脂で被覆されている。
【００３６】
加熱ローラ２６および加圧ローラ２７によりトナー像が定着された印刷用紙ＰＰは、加熱ローラ２６等の下流側に配設された排紙ローラ２８とピンチローラ２９により排紙口３０から読取装置付きレーザプリンタ１の外部へ延出される排紙トレー３１に排出される。排紙トレー３１は、その一端が本体ケース１ａに回転軸３１ａを介して回転可能に取着されており、不使用の場合には、図１の反時計方向へ向けて回転させることによりトップカバー１ｃの上方側へ折り畳まれ、トップカバー１ｃの上方を覆いつつ収納することができる。
【００３７】
次に、上述した給紙口カバー８に搭載される画像読取装置６について説明する。原稿用紙Ｐに記載された画像を読み取る画像読取装置６は、給紙口カバー８の上部に搭載されており、その上部にはパネルカバー３２が覆設されている。このパネルカバー３２は、その表面（上面）に、複数のボタン（図示せず）が設けられた操作パネルや読取装置付きレーザプリンタ１の動作状況などを表示する液晶表示器（図示せず）を備えており、かかる操作パネルに設けられたボタンが操作されることにより、読取装置付きレーザプリンタ１が動作される。しかも、このパネルカバー３２は、原稿用紙Ｐの給紙方向（図１中の矢印Ｘ方向）上流側（図１左側）から原稿用紙Ｐの給紙方向下流側へ向けて下降傾斜した状態で給紙口カバー８に開閉自在に取着されている。よって、例えば、かかるパネルカバー３２を開放することにより、画像読取装置６内における原稿用紙Ｐの紙詰まりの除去や、画像読取装置６の保守を行うことができるのである。尚、パネルカバー３２の開閉するための開閉機構についての詳細は後述する。
【００３８】
パネルカバー３２の後端側（図１左側）、即ち、原稿用紙Ｐの搬送方向上流側には、複数枚の原稿用紙Ｐを積層状態で挿嵌可能な空間である原稿用紙ホルダ３３が形成されている。原稿用紙ホルダ３３の給紙方向下流側（図１右側）であって、パネルカバー３２の下面には、略く字形のパッド押下部材３４が取着されている。このパッド押下部材３４は、分離パッド３５を分離ローラ３６へ向けて付勢して押下するためのものであり、薄板状のステンレス鋼材などの弾性を有する金属材料で形成され、パネルカバー３２下面に上下方向へ向けて揺動可能にビス止めされている。
【００３９】
パッド押下部材３４の下面側には、可撓性を有するシリコンゴムなどの合成樹脂材料で略平板状に形成された分離パッド３５がビス止めされている。この分離パッド３５は、後述する分離ローラ３６と協働して複数枚の原稿用紙Ｐを一枚毎に分離するためのものであり、シリコンゴムなどの表面摩擦係数の大きな合成樹脂材料で形成されているので、その表面に接触する複数枚の原稿用紙Ｐを引っ掛けて一枚毎に分離することができるのである。また、分離パッド３５の先端部分は、パッド押下部材３４により分離ローラ３６へ向けて付勢されており、分離ローラ３６の上部表面に接触（当接）して、原稿用紙Ｐが分離される分離ポイントを構成している。
【００４０】
分離ローラ３６は、分離パッド３５と協働して複数枚の原稿用紙Ｐを一枚毎に分離して、その原稿用紙Ｐを搬送方向下流側へ向けて搬送するためのものであり、給紙口カバー８に回転可能に軸着されている。分離ローラ３６の下流側には、原稿用紙Ｐの画像を読み取るためのＣＩＳ３７が給紙口カバー８に設けられている。このＣＩＳ３７の上面には画像を読み取る読取部３７ａが設けられており、かかる読取部３７ａの上方には、画像を読み取る場合の白色基準となるホワイトテープ３８が対向して配設されている。このホワイトテープ３８はパネルカバー３２下面に配設された原稿押圧部材３９下面に取着されており、かかる原稿押圧部材３９はコイルスプリング４０により読取部３７ａへ向けて下方へ向けて付勢されている。原稿用紙Ｐは、ホワイトテープ３８とＣＩＳ３７の読取部３７ａとの間を通過する際に読取部３７ａにより画像が読み取られる。
【００４１】
ＣＩＳ３７の更に下流側には、ＣＩＳ３７により画像が読み取られた原稿用紙Ｐを画像読取装置６の外部へ排紙するために給紙口カバー８に回転可能に軸着される排紙ローラ４１と、その排紙ローラ４１へ原稿用紙Ｐを押圧するためにパネルカバー３２下面に回転可能に軸着されるピンチローラ４２とが配設されている。ＣＩＳ３７の読取部３７ａにより画像が読み取られる原稿用紙Ｐは、排紙ローラ４１およびピンチローラ４２により挟持されると共に、排紙ローラ４１の回転に伴って所定速度で搬送された後に、本体ケース１ａのトップカバー１ｃ上面へ排紙される。このように、画像読取装置６は原稿用紙Ｐの搬送経路を境にして、上部機構を収容するパネルカバー３２と、下部機構を構成する給紙口カバー８とから構成されている。
【００４２】
次に、図２を参照して、画像読取装置６が搭載される給紙口カバー８について説明する。図２は、給紙口カバー８が開放された状態における読取装置付きレーザプリンタ１の部分的な側断面図であり、図中の矢印Ａは給紙口カバー８の開放方向を示しており、矢印Ｂはパネルカバー３２の開放方向を示している。図２に示すように、本体ケース１ａの上部には、その上方へ向けてブラケット４３が立設されている。このブラケット４３は、給紙口カバー８の用紙幅方向（図２の紙面に対する略垂直方向）における両側部分に給紙口カバー８を挟み込むようにしてそれぞれ立設されており、ブラケット４３の上部には略円柱状の摺動ピン４３ａが給紙口カバー８の用紙幅方向における両側面へ向けて突設されている。
【００４３】
この摺動ピン４３ａの周囲には、給紙口カバー８下面側からパネルカバー３２覆設側へ向けて延びた略Ｕ字形のスライド壁４４が周設されており、かかるスライド壁４４はブラケット４３と対向する給紙口カバー８の側面からにブラケット４３へ向けて立設されている。このスライド壁４４は、ブラケット４３の摺動ピン４３ａを介して、給紙口カバー８を本体ケース１ａ上部に支持するためのものであり、その内側に形成されるスライド溝４４ａ内には摺動ピン４３が回転可能、かつ、スライド可能に係合されている。尚、図２では、図２の紙面に対する略垂直方向における奥側に設けられるブラケット４３およびスライド壁４４のみを図示している。
【００４４】
このスライド溝４４の下方における給紙口カバー８の下面には、略三角形状のガイド板４５が本体ケース１ａ内へ向けて延出されている。このガイド板４５は、給紙口カバー８が開閉動作を案内するためのものであり、その下端には略円柱状のガイドピン４５ａが設けられている。このガイドピン４５ａの下方には、その下面と接触するガイド壁４６が設けられている。このガイド壁４６は、給紙口カバー８の開閉動作に伴ってガイドピン４５ａの移動を案内して、給紙口カバー８の開閉に伴う矢印Ａ方向へ向けた移動経路を規制するためのものであり、本体ケース１ａに設けられている。このガイド壁４６の内側には、ガイドピン４５ａが回転可能、かつ、スライド可能に係合される円弧状のガイド溝４６ａが凹設されており、かかるガイド溝４６ａはガイド壁４６に沿って、印刷用紙ホルダ７側の上方へ向けて傾斜されている。
【００４５】
また、ガイド板４５の後方における給紙口カバー８の下面には、上述した給紙口カバー８の押圧板８ａが圧板９の作動板９ｃへ向けて延出されており、この押圧板８は、作動板９ｃを介して、圧板９をバネ部材１０の反付勢（圧縮）方向へ押し下げるためのものであり、その下端には突起状の係合爪８ａ１が突設されている。この係合爪８ａ１は、圧板９の作動板９ｃ上端に凹設された係合溝９ｃ１に係合されており、この係合溝９ｃ１の下方には、この係合溝９ｃ１へ係合爪８ａ１を案内すると案内面９ｃ２が形成されている。
【００４６】
次に、図３を参照して、パネルカバー３２の開閉機構について説明する。図３は、パネルカバー３２が開放された状態における読取装置付きレーザプリンタ１の部分的な側断面図であり、図中の矢印Ａは給紙口カバー８の開放方向を示しており、矢印Ｂはパネルカバー３２の開放方向を示しており、矢印Ｘは原稿用紙Ｐの給紙方向を示している。
【００４７】
図３に示すように、パネルカバー３２の原稿用紙ホルダ３３側には、給紙口カバー８の原稿用紙ホルダ３３側端へ向けて略く字形のブラケット４７が延出されている。このブラケット４７は、パネルカバー３２を支持するためのものであり、給紙口カバー８の用紙幅方向（図３の紙面に対する略垂直方向）における両側部分からそれぞれ下方へ向けて延出されている。また、このブラケット４７の下端側には略円柱状の摺動ピン４７ａが設けられている。
【００４８】
この摺動ピン４７ａは、給紙口カバー８の原稿用紙ホルダ３３側部分に穿設された長穴状のスライド溝４８に回転可能に係合されている。しかも、このスライド溝４８は、原稿用紙の給紙方向、即ち、矢印Ｘ方向へ向けて幅広に形成されており、ブラケット４７の摺動ピン４３ａがスライド可能に係合されるのである。尚、図３では、図３の紙面に対する略垂直方向における手前側に設けられるブラケット４７およびスライド溝４８のみを図示している。
【００４９】
このスライド溝４８の下流側における給紙口カバー８の上部には略円柱状のガイドピン４９が設けられている。このガイドピン４９は、パネルカバー３２の下面側から給紙口カバー８上部へ向けて略円弧状に湾曲して延出されたガイド板５０に穿設されるガイド溝５０ａに係合されている。ガイドピン４９およびガイド板５０は、パネルカバー３２の開閉動作を案内するためのものである。また、ガイド溝５０ａは、ガイド板５０の外形に沿って略円弧状に湾曲してガイド板５０に穿設されており、ガイドピン４９が回転可能、かつ、摺動可能に係合される。
【００５０】
次に、図２および図４を参照して、画像読取装置６が搭載された給紙口カバー８の開放動作について説明する。図４は、給紙口カバー８が閉鎖された状態における読取装置付きレーザプリンタ１の部分的な側断面図であり、図中の矢印Ｘは原稿用紙Ｐの給紙方向を図示しており、矢印Ａは給紙口カバー８の開放方向を図示しており、矢印Ｂはパネルカバー３２の開放方向を示しており、矢印Ｃは圧板９の回転方向を示している。
【００５１】
図４に示すように、給紙口カバー８が閉鎖された状態では、本体ケース１ａに立設されたブラケット４３の摺動ピン４３ａは、給紙口カバー８の側面に立設されたスライド壁４４のスライド溝４４ａ内の上方位置に係合されている。一方、給紙口カバー８の下面から下方へ延出されるガイド板４５のガイドピン４５ａは、本体ケース１ａに設けられたガイド溝４６ａ内の下方位置に係合されている。かかる場合に、給紙口カバー８が矢印Ａ方向へ向けて開放されると、その開放動作に連動して、給紙口カバー８におけるガイドピン４５ａがガイド壁４６に沿ってガイド溝４６ａ内を上方へ向けてスライドされる。
【００５２】
一方、このガイド板４５のガイドピン４５ａの上方へ向けたスライドに伴って、スライド壁４４は、摺動ピン４３ａに対して相対的に時計方向へ回転されるとともに、摺動ピン４３ａに対して相対的に上方へスライドされる。このスライド壁４４の上方へ向けたスライドにより、給紙口カバー８の前部（図４右側）、即ち、給紙口カバー８のスライド壁４４側部分は、その前上方向（図１右上側）へ向けて上昇移動される。
【００５３】
その後、給紙口カバー８が矢印Ａ方向へ向けて更に開放されると、給紙口カバー８におけるガイドピン４５ａは、ガイド壁４６の内側面に沿ってガイド溝４６ａ内を上方へ向けてスライドされて、ガイド溝４６ａの上方位置、即ち、図２のガイドピン４５ａの位置に到達する。一方、このガイドピン４５ａのスライドに伴って、スライド壁４４は、摺動ピン４３ａに対して相対的に時計方向へ更に回転され、摺動ピン４３ａに対して相対的に上方へ更にスライドされる。
【００５４】
このスライド壁４４の上方へ向けたスライドにより、摺動ピン４３ａは、相対的にスライド溝４４ａの下方位置へスライドされ、図２に示すように摺動ピン４３ａがスライド溝４４ａの下方位置に到達する。即ち、図２に示すように、給紙口カバー８が開放されると、そのスライド壁４４側部分は、本体ケース１ａに対して、高さＨの分、上方へ移動されるとともに、本体ケース１ａに対して、移動長Ｗの分、その前方（図４左側）へ移動されるのである。
【００５５】
よって、給紙口カバー８が開放された場合に、かかる給紙口カバーは、印刷用紙ホルダ７が設けられる本体ケース１ａに対して上方へ高さＨ移動され、かつ、前方へ移動量Ｗスライドされるので、給紙口カバー８下面と印刷用紙ホルダ７との間部分に形成される空間を大きくすることができる。このため、給紙口カバー８を開放して印刷用紙ホルダ７に印刷用紙ＰＰを収納する場合に、印刷用紙ＰＰを給紙口カバー８の下面などに衝突させることなく、給紙口カバー８と印刷用紙ホルダ７との間部分に形成される空間へ印刷用紙ＰＰを円滑に差し入れることができる。
【００５６】
また、このように、図４に示す給紙口カバー８が開放されることにより、給紙口カバー８の押圧板８ａは圧板９をバネ部材１０の反付勢方向（図４矢印Ｃ方向）へ向けて押し下げる。即ち、給紙口カバー８が矢印Ａ方向へ向けて開放されると、その開放動作に伴って、押圧板８ａの係合爪８ａ１が圧板９の作動板９ｃにおける案内面９ｃ２と当接する。その後、給紙口カバー８を更に矢印Ａ方向へ向けて開放すると、押圧板８ａの係合爪８ａ１が作動板９ｃの案内面９ｃ２を上方へ向けて摺動するとともに、かかる摺動に伴って、作動板９ｃが押圧板８ａにより矢印Ｃ方向へ向けて押圧される。作動板９ｃが矢印Ｃ方向へ向けて押圧されると、圧板９は、回転軸９ｂを中心として図４の時計方向（矢印Ｃ方向）へ向けて回転されて、圧板９の下端側（図４左側）が押し下げられるのである。
【００５７】
このように、給紙口カバー８を開放することにより、図２に示すように圧板９が押し下げられ、図１に示す圧板９と給紙ローラ１１との対向部分の間隙幅が拡大されるので、かかる間隙幅が拡大された圧板９と給紙ローラ１１との対向部分に印刷用紙ＰＰの先端を容易に挿入することができる。このため、圧板９を押し下げる装置を給紙装置２に別途設ける必要がなく、その分、読取装置付きレーザプリンタ１全体としての製造コストを低減することができる。
【００５８】
また、給紙口カバー８が更に開放されると、押圧板８ａの係合爪８ａ１が作動板９ｃの係合溝９ｃ１に係合される。しかも、かかる場合に、押圧板８ａはバネ部材１０により反矢印Ｃ方向へ付勢される圧板９の作動板９ｃを介して上方へ向けて付勢されるので、画像読取装置６が搭載され重量が増加した給紙口カバー８をガタつかせることなく拘止して、給紙口カバー８を図２に示す開放した姿態で保持することができるのである。
【００５９】
次に図３および図４を参照して、パネルカバー３２の開閉動作について説明する。図３に示すように開放されたパネルカバー３２が閉鎖される場合には、まず、パネルカバー３２を反矢印Ｂ方向へ向けて押し下げると、ブラケット４７の摺動ピン４７ａが給紙口カバー８のスライド溝４８内を後上方（図３左上側）へ向けてスライドされつつ時計方向へ向けて回転される。一方、パネルカバー３２が反矢印Ｂ方向へ押し下げられると、パネルカバー３２の閉鎖に連動して、ガイドピン４９が係合されるガイド溝５０ａが穿設されたガイド板５０も下方へ移動され、かかるガイド板５０の移動に伴って、ガイドピン４９がガイド溝５０ａ内を相対的に上方へ向けてスライドされる。その後、パネルカバー３２が反矢印Ｂ方向へ向けて更に押し下げられると、摺動ピン４７ａがスライド溝４８の後部側へ到達する一方、ガイド板５０が更に下降して、ガイドピン４９がガイド溝５０ａ内をスライドしてガイド溝５０ａの上部側に到達して、パネルカバー３２の閉鎖が完了する。
【００６０】
また、パネルカバー３２を開放する場合には、上述したパネルカバー３２の閉鎖動作と逆の動作で行われる。即ち、図４に示すように閉鎖されたパネルカバー３２が図２中の矢印Ｂ方向へ向けて持ち上げられると、ブラケット４７の摺動ピン４７ａが給紙口カバー８のスライド溝４８内を前下方（図３右下側）へ向けてスライドされつつ反時計方向へ回転される。一方、パネルカバー３２が矢印Ｂ方向へ持ち上げられると、パネルカバー３２の開放に連動して、ガイドピン４９が係合されるガイド溝５０ａが穿設されたガイド板５０も上方へ移動され、かかるガイド板５０の移動に伴って、ガイドピン４９がガイド溝５０ａ内を相対的に下方へ向けてスライドされる。その後、パネルカバー３２が矢印Ｂ方向へ向けて更に持ち上げられると、摺動ピン４７ａがスライド溝４８の前部側（図３右側）へ到達する一方、ガイド板５０が更に上昇して、ガイドピン４９がガイド溝５０ａ内をスライドしてガイド溝５０ａの下部側に到達して、パネルカバー３２の開放が完了する。
【００６１】
このように開閉されるパネルカバー３２は、その回転中心である摺動ピン４７ａが給紙口カバー８の回転中心である摺動ピン４３ａの係合されるスライド溝４４ａに対して反対側部分に設けられ、パネルカバー３２の開放方向（矢印Ｂ方向）が給紙口カバー８の開放方向（矢印Ａ方向）に対して反対方向となるように構成されている。即ち、例えば、給紙口カバー８とパネルカバー３２とが一緒に開放される場合には、かかる給紙口カバー８とパネルカバー３２と本体ケース１ａに対して、逆Ｚ字形の姿態で開放されるように構成されている。このため、例えば、パネルカバー３２の回転中心が給紙口カバー８の回転中心側に設けられる場合のように、パネルカバー３２を開放する際に、給紙口カバー８を誤って一緒に開放してしまったり、給紙口カバー８を開放する際にパネルカバー３２を誤って開放してしまうことを防止することができる。
【００６２】
しかも、パネルカバー３２の回転中心が給紙口カバー８の回転中心側に設けられる場合のように、パネルカバー３２と一緒に給紙口カバー８が開放されることを防止するためのストッパ機構などを給紙口カバー８やパネルカバー３２に設ける必要がないので、その分、読取装置付きレーザプリンタ１全体としての製造コストを低減することができるのである。
【００６３】
以上説明したように、本実施例の読取装置付きレーザプリンタ１によれば、原稿用紙Ｐの画像を読み取る画像読取装置６は、トップカバー１ｃと独立して開放される給紙口カバー８に搭載されるので、画像読取装置６がトップカバー１ｃに搭載される従来の画像形成装置に比べて、画像読取装置６の重量分、トップカバー１ｃの重量を低減することができる。よって、メインフレーム１ｂ内の保守、例えば、記録装置４の点検や交換を行うためにトップカバー１ｃを開閉する場合に、トップカバー１ｃが軽量化された分、その開閉動作を円滑に行うことができる。しかも、トップカバーが軽量化されるので、従来の読取装置付きレーザプリンタのようにトップカバーを保持するダンパー機構などを設ける必要がなく、その分、読取装置付きレーザプリンタ１全体としての製造コストを低減することができる。また、給紙口カバー８は、メンテナンスのために開放されるトップカバー１ｃのように大きく開放する必要がないため、かかる給紙口カバー８に画像読取装置６を搭載しても、その開閉動作に困難を伴わず、開閉動作を円滑に行うことができる。
【００６４】
更に、上記画像読取装置６は、本体ケース１ａに設けられる給紙装置２の印刷用紙ホルダ７の上方に覆設される給紙口カバー８に搭載されるので、本体ケース１ａに画像読取装置６を搭載するためのスペースを別途設ける必要がない。よって、従来の読取装置付きレーザプリンタ、例えば、本体ケース１ａにおける印刷用紙ＰＰの給紙方向上流側から下流側へと給紙装置２、記録装置４、画像読取装置６の順に並列的に配設した読取装置付きレーザプリンタに比べて、画像読取装置６を搭載するためのスペース分、本体ケース１ａを小型化することができる。このため、本体ケース１ａの製造コストが低減されるとともに、読取装置付きレーザプリンタ１を小型化することができる。
【００６５】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６６】
【発明の効果】
請求項１記載の読取装置を備えた画像形成装置によれば、原稿用紙の画像を読み取る読取装置は給紙口カバーに搭載されるので、読取装置が開閉カバーに搭載される従来の読取装置を備えた画像形成装置に比べて、読取装置の重量分、開閉カバーの重量を低減することができる。よって、装置本体内の保守、例えば、印刷装置の点検や部品交換を行う際に開閉カバーを開閉する場合に、開閉カバーが軽量化された分、その開閉動作を円滑に行うことができるという効果がある。しかも、開閉カバーは軽量化されているので、従来の読取装置を備えた画像形成装置のように開閉カバーを保持するダンパー機構などを設ける必要がなく、その分、読取装置を備えた画像形成装置全体としての製造コストを低減することができるという効果がある。
【００６７】
また、上記読取装置は、装置本体に設けられた給紙口に取着される給紙口カバーに搭載されるので、装置本体に読取装置を搭載するためのスペースを別途設ける必要がない。よって、従来の読取装置を備えた画像形成装置、例えば、装置本体における記録用紙の給紙方向上流側から下流側へと給紙装置、印刷装置、読取装置の順に配設される画像形成装置に比べて、読取装置を搭載するためのスペース分、装置本体を小型化することができる。このため、装置本体の製造コストが低減されるとともに、読取装置を備えた画像形成装置を小型化することができるという効果がある。
また、給紙口カバーは給紙口に開閉自在に取着されているので、かかる給紙口カバーを開放することにより、給紙口の開放量を大きくすることができる。よって、給紙口カバーを開放して給紙口内に記録用紙を設置する作業を容易に行うことができるという効果がある。しかも、かかる給紙口カバーは、印刷装置をメンテナンスするために開放される開閉カバーのように大きく開放する必要がないので、かかる給紙口カバーに読取装置が搭載されても、給紙口カバーの開放動作を円滑に行うことができるという効果がある。
また、読取装置の搭載される給紙口カバーが開放される場合に、付勢解除部材によって、付勢部材による給紙ローラへ向けた支持部材の付勢を解除することにより、支持部材と給紙ローラとの対向部分の間隙幅を拡大することができる。よって、かかる場合に、支持部材と給紙ローラとの対向部分に記録用紙を容易に差し入れることができるという効果がある。
【００６８】
【００６９】
請求項２記載の読取装置を備えた画像形成装置によれば、請求項１記載の読取装置を備えた画像形成装置の奏する効果に加え、給紙口カバーを揺動可能に支持する揺動軸は装置本体または給紙口カバーの上方から下方へ向けて長穴状に形成されるスライド溝に対して相対的にスライド可能に係合されているので、給紙口カバーを揺動させて開放する場合に、揺動軸がスライド溝内を相対的にスライドすることにより、給紙口カバーを装置本体に対して相対的に上方へスライドさせつつ開放することができる。よって、給紙口カバーを開放する場合には、給紙口カバーが上方へスライドされる分、給紙口カバーの開放量を大きくすることができる。このため、給紙口カバーを開放して給紙口内に記録用紙を設置する作業を容易に行うことができるという効果がある。
【００７０】
【００７１】
請求項３記載の読取装置を備えた画像形成装置によれば、請求項１又は２に記載の読取装置を備えた画像形成装置の奏する効果に加え、読取装置の搭載される給紙口カバーが開放される場合に、記録用紙を支持する支持部材は、給紙口カバーの開放動作に連動して、給紙口カバーから延出される押圧部材により付勢部材による給紙ローラへ向けた付勢が解除されるので、支持部材と給紙ローラとの対向部分の間隙幅を拡大することができる。よって、かかる場合に、支持部材と給紙ローラとの対向部分に記録用紙を容易に差し入れることができるという効果がある。
【００７２】
請求項４記載の読取装置を備えた画像形成装置によれば、請求項３記載の読取装置を備えた画像形成装置の奏する効果に加え、読取装置の搭載される給紙口カバーが開放される場合に、付勢部材の反付勢方向へ支持部材を押圧する押圧部材は、支持部材に設けられる係止部材により係止されるので、読取装置が搭載される給紙口カバーをガタつかせることなく開放することができる。よって、読取装置の搭載される給紙口カバーが開放される場合に、給紙口カバーが読取装置の重量によりガタつくことなく、給紙口カバーを開放した姿態で保持することができるという効果がある。
【００７３】
請求項５記載の読取装置を備えた画像形成装置によれば、請求項１から４のいずれかに記載の読取装置を備えた画像形成装置の奏する効果に加え、読取装置カバーを開閉する際の揺動中心は給紙口カバーを開閉する際の揺動中心の反対側に設けられるので、例えば、読取装置カバーの揺動中心が給紙口カバーの揺動中心側に設けられる場合のように、読取装置カバーを開放する際に給紙口カバーが一緒に開放されることを防止することができるという効果がある。しかも、給紙口カバーおよび読取装置カバーが一緒に開放することを防止するためのストッパ機構などを給紙口カバーや読取装置カバーに設ける必要がないので、その分、読取装置を備えた画像形成装置全体としての製造コストを低減することができるという効果がある。
【００７４】
請求項６記載の読取装置を備えた画像形成装置によれば、請求項１から５のいずれかに記載の読取装置を備えた画像形成装置の奏する効果に加え、原稿用紙の画像を読み取る密着型イメージセンサは、各種光学部品、並びに、所定の光路長を必要とするＣＣＤに比べて部品点数が少なく、読取装置全体を非常に小型化することができるので、読取装置を給紙口カバーに容易に搭載することができるという効果がある。
【図面の簡単な説明】
【図１】  本発明の読取装置を備えた画像形成装置の一実施例である読取装置付きレーザプリンタの内部構造を概略的に示した側断面図であ。
【図２】  給紙口カバーが開放された状態における読取装置付きレーザプリンタの部分的な側断面図である。
【図３】  パネルカバーが開放された状態における読取装置付きレーザプリンタの部分的な側断面図である。
【図４】  給紙口カバーが閉鎖された状態における読取装置付きレーザプリンタの部分的な側断面図である。
【符号の説明】
１        読取装置付きレーザプリンタ（読取装置を備えた画像形成装置）
１ａ      本体ケース（装置本体）
１ｃ      トップカバー（開閉カバー）
２        給紙装置
３        記録装置（印刷装置の一部）
４        レーザ光走査装置（印刷装置の一部）
５        定着装置（印刷装置の一部）
６        画像読取装置（読取装置）
７        印刷用紙ホルダ（印刷装置の一部、給紙口の一部）
８        給紙口カバー
８ａ      押圧板（付勢解除部材、押圧部材）
９        圧板（支持部材、印刷装置の一部、給紙口の一部）
９ｃ      作動板（係止部材）
１０      バネ部材（付勢部材）
１１      給紙ローラ（給紙口の一部）
４４ａ    スライド溝
４３ａ    摺動ピン（揺動軸、給紙口カバーを開閉する際の揺動中心）
Ｐ        原稿用紙
ＰＰ      印刷用紙（記録用紙）
【図１】
0003731355.tif 000002
【図２】
0003731355.tif 000003
【図３】
0003731355.tif 000004
【図４】
0003731355.tif 000005